(57)【特許請求の範囲】
【請求項１】
各々開口部が形成されていて所定の間隔を空けて相互に取り付けられている二つの地板と、前記開口部とのうちの少なくとも一つによって方形の露光開口を形成する開口部を有し前記二つの地板間に配置されていて少なくとも該露光開口の所定の側方位置における一部の領域を残し前記二つの地板との間に夫々羽根室を形成している中間板と、前記二つの地板のうちカメラ内においてはレンズ側に配置される一方の地板に対し前記所定の側方位置で一端部を枢着された複数のアームとそれらの他端部に向けて順次枢支された複数枚の羽根とで構成され一方の羽根室内において露光作動時には前記露光開口を開くように作動させられる先羽根群と、前記一方の地板に対し前記所定の側方位置で一端部を枢着された複数のアームとそれらの他端部に向けて順次枢支された複数枚の羽根とで構成され他方の羽根室内において露光作動時には前記露光開口を閉じるように作動させられる後羽根群とを備えていて、前記二つの地板のうち他方の地板には、少なくとも周辺部の一部に、前記一方の地板との間を塞ぐ遮光壁が形成されていて、該遮光壁の内面は、前記他方の地板から前記一方の地板に向けて光軸中心線からの距離が大きくなるような傾斜面として形成されていると共に、前記所定の側方位置に、前記露光開口側の面を、前記他方の地板から前記一方の地板に向けて光軸中心線からの距離が大きくなるような傾斜面として形成した肉厚部が複数個形成されていて、前記露光開口側から見た場合、少なくともそれらの肉厚部の一部が重なり合うようにして配置されていることを特徴とするカメラ用フォーカルプレンシャッタ。
【請求項２】
前記遮光壁が、前記露光開口側から見て、少なくとも前記所定の側方位置方向の周辺部に形成されていることを特徴とする請求項１に記載のカメラ用フォーカルプレンシャッタ。
【請求項３】
前記遮光壁と前記肉厚部に形成された傾斜面の角度が、光軸中心線に対して略３０〜６０度であることを特徴とする請求項１又は２に記載のカメラ用フォーカルプレンシャッタ。
【発明の詳細な説明】
【０００１】
【発明の属する技術分野】
本発明は、撮影に際し、先羽根群と後羽根群とを同一方向へ順次作動させ、両羽根群のスリット形成羽根によって形成されたスリットによりフィルムを露光するようにしたカメラ用のフォーカルプレンシャッタに関する。
【０００２】
【従来の技術】
主に高級カメラに内蔵されるフォーカルプレンシャッタは、略中央部に露光用の開口部を有していて相互に取り付けられた二つの地板（通常、一方の地板をシャッタ地板と称しており、他方の地板はカバー板，補助地板などと称されている）の間に、先羽根群と後羽根群とを配置している。各羽根群は、一端部を一方の地板に枢着されている二つのアームに、それらの他端部に向けて複数枚の羽根を順次枢支した構成をしており、最先端部に枢支された羽根が運動量の一番大きいスリット形成羽根となっている。そして、その枢支構成は、リベット部品である連結軸をアームの孔に挿入して回転可能に嵌合させ、その挿入端を羽根にかしめるようにしている。
【０００３】
また、各羽根群のアームの一つには、枢着部に近い位置に長孔が形成されている。そして、上記した二つの地板の間の空間には、それらの地板の開口部と類似の開口部を有している中間板（仕切り板などと称されることもある）によって仕切られ、二つの羽根室が形成されており、先羽根群と後羽根群の作動領域を分離することによって、両者が作動上干渉しないように構成されている。また、この中間板の平面積は、上記した二つの地板よりも若干小さく、各アームの枢着部や上記した長孔の作動領域などは仕切られておらず、共通の空間となっている。
【０００４】
更に、一方の地板には、先羽根用駆動部材と後羽根用駆動部材とが往復回動可能に取り付けられていて、夫々の駆動部材の作動ピンが、上記したアームの長孔に嵌合している。そのため、各羽根群の複数枚の羽根は、アームが作動ピンによって一方向へ回動すると、相互の重なりを少なくしつつ展開し、他方向へ回動すると、相互の重なりを大きくしつつ重畳されるようになっている。そして、シャッタのセット状態においては、先羽根群が展開状態となって露光用の開口部を覆い、後羽根群は重畳状態となって露光用の開口部から退避させられており、また、露光作動の終了直後においては、先羽根群は重畳状態となって上記の開口部から退避し、後羽根群は展開状態となって開口部を覆うようになっている。
【０００５】
ところで、この種のフォーカルプレンシャッタに対しても、当然のことながら小型化と高速化が要求されているが、その要求に応えることは並大抵のことではない。周知のように、フォーカルプレンシャッタを小型化するためには、重畳状態において羽根群の占める平面積を、出来るだけ小さくするのが効果的である。しかし、そのようにするためには、各羽根群の羽根の枚数を増やさなければならないことから、展開状態における羽根同士の重なり面の数が増えてしまい、羽根群全体の重量が大きくなってしまう結果となる。そのため、従来通りの駆動力によって従来通りの最高速度を得るようにするためには、羽根を軽量化しなければならなくなる。
【０００６】
他方、シャッタの高速化を図るためには、駆動力を大きくするか、羽根を軽量化しなければならない。しかしながら、駆動力をこれまで以上に大きくすることは、所定の性能を安定して得られるようにしなければならないという観点からも、極めて困難な情勢にある。従って、高速化の要求に応えるためにも、やはり羽根の軽量化が必要になってくる。そして、羽根を軽量化するということは、材質面での改善を考慮しないとすれば、各羽根の平面積を小さくするか、厚さを薄くするということになる。
【０００７】
ところが、各羽根の平面積を小さくすると、展開状態における羽根同士の重なり面積が小さくなってしまい、カメラの不使用時において、それらの間から漏光が発生し、フィルムを感光させてしまうことがある。他方、各羽根の厚さを余り薄くすると、カメラの携帯時における振動等により羽根が撓んでしまい、そこから漏光し、やはりフィルムを感光させてしまうことがある。更に、羽根を極度に薄くした場合には、上記した連結軸のかしめ加工の影響などによって羽根相互の各重なり面を全面的に密接させるように製作するのが難しく、どうしても局部的に隙間が生じるようになってしまい、上記のような振動等が起きなくても、フィルムを感光させてしまうことになる。
【０００８】
従って、シャッタの小型化と高速化を図ろうとする場合には、常にカメラの不使用時における羽根相互間からの漏光の問題を考慮しながら開発を進めなくてはならなくなる。そして、これまでにも、羽根相互間からの漏光によってフィルムを感光させてしまわないようにするための多くの提案がなされているが、それらはいずれも一長一短であって画期的なものがなく、結局は各羽根相互間に所定の重なり量を確保しなければならないのが実情である。
【０００９】
ところで、カメラの不使用時においてフィルムを感光させてしまう漏光は、上記した羽根相互間からの漏光だけではなく、その他の経路からの漏光も存在する。従って、フィルムは、それらを総合した光によって感光されてしまうわけである。他方、シャッタユニットは、作動する機械部品を光に露出させた状態でアッセンブリーした製品である以上、どのような漏光対策を講じたとしても、全ての経路を完全に遮光できるような対策というものは存在し得ない。言い換えると、どのような漏光対策を講じたとしても、フィルム面には極めて僅かな光が到達してしまうということである。
【００１０】
そのため、シャッタユニットにおいて漏光対策と言う場合には、光の入射経路によっては、その経路を完全に遮断するような対策を講じることもあるが、どちらかというと、種々の経路から入射した総合の光がフィルム面に到達したとしても、実用的にはフィルムを感光させることがない程度の光に減衰されているようにする対策が重要になる。このように、シャッタユニットにおける漏光対策を考える場合には、上記した羽根相互間からの漏光対策だけを考えただけでは不充分であるし、また、換言すれば、他の経路からの漏光対策が可成り充分な成果を挙げ得るのであれば、羽根相互間からの漏光だけに必要以上の神経を使わなくても済むということになるわけである。
【００１１】
そこで、上記した羽根相互間の重なり部から入射する光のほかに、考慮しなければならない二つの経路からの入射光について説明する。その一つは、上記した二つの地板の周辺部から、それらの間に入射し、主に、中間板とフィルム側に配置される地板との間の羽根室を経て、該地板の開口部からフィルム面に達する光についてである。このような光の入射を防ぐためには、古くは、カメラ側部品とシャッタユニットとの間にモルトプレンや植毛紙などを介在させていた。しかしながら、そのようにするとコスト高になるため、最近ではフィルム側に配置される地板の周辺部に、該地板面とは垂直な遮光壁を形成することにより、周辺部からの入射を極力防ぐようにすることが考えられている。
【００１２】
もう一つの経路からの入射光は、レンズ側に配置される地板の開口部から、該地板と、該地板側の羽根室に配置された羽根群との間の隙間に入ってくる光である。周知のように、該羽根室内の羽根群は、アームが該地板側となり、そこに枢支される各羽根が中間板側となるようにして製作されている。そして、アームの先端部は、作動ごとに、開口部内に出たり、開口部から退いたりするようになっている。そのため、該地板側に一番近い羽根の面と該地板の中間板側の面との間には、最小限、どうしてもアームの厚さ分の隙間が存在することになり、その隙間から光が入射するのは防げない構成になっている。
【００１３】
従来、このようにして入射してくる光に対しては、特に構造上の配慮をせず、各地板面やそれらの間に配置される部材の表面に、反射防止処理を施している程度であった。それと言うのも、このようにして入射した光は、当初は各地板の周辺部の方向へ向かうことになり、全体としては何回か反射を繰り返してから露光開口側に戻ることになるから、フィルム側に配置された地板の開口部からフィルム面に達したときには充分に減衰されていて、フィルム面には実質的な影響を与えなくなっていると判断されていたからである。
【００１４】
【発明が解決しようとする課題】
このような状況下において、最近では、例えばＩＳＯ１６００のような高感度のフィルムが好んで使用されるようになってきたため、これまで以上に漏光対策を厳しくしなければならなくなってきた。他方、最近では、レンジファインダ式の高級カメラに対する市場ニーズが高くなっている。周知のように、レンジファインダ式のカメラには、一眼レフカメラと違い、レンズとフィルムとの間に、ミラー等の部材が全く存在していない。また、高級カメラである以上、レンズ交換が自由に行えるものであることが必要となる。そのため、レンジファインダ式のカメラは、一眼レフカメラの場合よりも、一段と効果的な遮光性を要求されることになる。従って、フォーカルプレンシャッタを製作する場合には、そのようなレンジファインダ式のカメラに内蔵されることもあることを前提にして、これまで以上に漏光対策を厳しくしなければならなくなってきた。
【００１５】
そこで、先ず、上記した従来例のように、フィルム側に配置される地板の周辺部に、該地板面とは垂直な遮光壁を形成することにより、周辺部からの入射を防ぐようにすることが必要になる。しかしながら、その遮光壁の内面が、従来のように該地板面と垂直に形成されていると、高感度フィルムを用いた場合などには問題がある。即ち、上記したように、レンズ側に配置される地板の開口部から、該地板と羽根群との間の隙間を通って入射した光が、周辺部に進んで該遮光壁で反射され、中間板とフィルム側に配置される地板との間に入り込んで、該地板の開口部からフィルム面に達するが、通常の反射防止処理を施した程度では、そのような経路の光を、充分に減衰しきれないためである。特に、上記したように、中間板の平面積は二つの地板よりも小さく、各羽根群のアームの枢着部の近傍領域は仕切られていないため、遮光壁で反射された光は、中間板とフィルム側に配置される地板との間に入り込み易くなっている。
【００１６】
本発明は、このような問題点を解決するためになされたものであり、その目的とするところは、主に、レンズ側に配置される地板の開口部から、該地板と、該地板側の羽根室に配置された羽根群との間に入射してきた光が、周辺部に設けられた遮光壁の内面で反射されたあと大きく減衰され、且つ中間板とフィルム側に配置される地板との間に入り込みにくくしたカメラ用のフォーカルプレンシャッタを提供することである。
【００１７】
【課題を解決するための手段】
上記の目的を達成するために、本発明のカメラ用フォーカルプレンシャッタは、各々開口部が形成されていて所定の間隔を空けて相互に取り付けられている二つの地板と、前記開口部とのうちの少なくとも一つによって方形の露光開口を形成する開口部を有し前記二つの地板間に配置されていて少なくとも該露光開口の所定の側方位置における一部の領域を残し前記二つの地板との間に夫々羽根室を形成している中間板と、前記二つの地板のうちカメラ内においてはレンズ側に配置される一方の地板に対し前記所定の側方位置で一端部を枢着された複数のアームとそれらの他端部に向けて順次枢支された複数枚の羽根とで構成され一方の羽根室内において露光作動時には前記露光開口を開くように作動させられる先羽根群と、前記一方の地板に対し前記所定の側方位置で一端部を枢着された複数のアームとそれらの他端部に向けて順次枢支された複数枚の羽根とで構成され他方の羽根室内において露光作動時には前記露光開口を閉じるように作動させられる後羽根群とを備えていて、前記二つの地板のうち他方の地板には、少なくとも周辺部の一部に、前記一方の地板との間を塞ぐ遮光壁が形成されていて、該遮光壁の内面は、前記他方の地板から前記一方の地板に向けて光軸中心線からの距離が大きくなるような傾斜面として形成されていると共に、前記所定の側方位置に、前記露光開口側の面を、前記他方の地板から前記一方の地板に向けて光軸中心線からの距離が大きくなるような傾斜面として形成した肉厚部が複数個形成されていて、前記露光開口側から見た場合、少なくともそれらの肉厚部の一部が重なり合うようにして配置されているようにする。
また、本発明のカメラ用フォーカルプレンシャッタにおいては、好ましくは、前記遮光壁が、前記露光開口側から見て、少なくとも前記所定の側方位置方向の周辺部に形成されているようにする。
また、本発明のカメラ用フォーカルプレンシャッタにおいては、好ましくは、前記遮光壁と前記肉厚部に形成された傾斜面の角度が、光軸中心線に対して略３０〜６０度であるようにする。
【００１８】
【発明の実施の形態】
本発明の実施の形態を、図１〜図６に示した第１実施例と図７〜図９に示した第２実施例とによって説明する。尚、図面について説明しておくと、図１は第１実施例のセット状態を示した平面図であり、図２は図１から開閉駆動機構を取り外し、透視的に示した平面図である。図３（ａ）〜図３（ｉ）は図２を構成している主な部品の平面図であって、図４は図３（ｉ）の拡大平面図である。また、図５は図２と同じようにして透視的に示した平面図であるが、露光作動の終了直後の状態を示したものである。更に、図６は第１実施例の作用効果を説明するための要部断面図であって、図６（ａ）は第１実施例の場合を、図６（ｂ）は従来例の場合を示している。他方、図７は第２実施例に用いられる補助地板の平面図である。また、図８，図９は図７に示した補助地板に後羽根群を重ねて示した透視平面図であって、図８はセット状態を、図９は露光作動の終了直後の状態を示したものである。
【００１９】
先ず、第１実施例の構成を、主に図１〜図４を用いて説明する。シャッタ地板１は、図３（ａ）に示すように、その略中央部に開口部１ａが形成されていて、周辺部にはカメラへ取り付けるための三つの孔１ｂ，１ｂ，１ｂが形成されている。また、開口部１ａの左方の側方位置には、三つの円弧状の孔１ｃ，１ｄ，１ｅが形成されており、左下方には長方形の孔１ｆが形成されている。そして、孔１ｃ，１ｄの上端部には、周知のようにして、Ｃ字状の平面形状をしたブチルゴム製の緩衝部材２，３が取り付けられている。
【００２０】
また、このシャッタ地板１には、軸１ｇ，１ｈ，１ｉ，１ｊ，１ｋ，１ｍ，１ｎ，１ｐが立設されていて、それらのうち、軸１ｈ，１ｊ，１ｍ，１ｎ，１ｐは背面側に立設されている。また、軸１ｇ，１ｉは表裏に貫通しており、表面側の軸径が背面側の軸径よりも大きくなっていて、表面側の根元には台座部が形成されている。更に、軸１ｋは、シャッタ地板１の表面側に立設されていて、その根元には台座部が形成されている。そして、図示していないが、軸１ｇ，１ｉの表面側には、周知のように、先羽根用駆動部材と後羽根用駆動部材が回転可能に取り付けられている。また、軸１ｋには図示していないセット部材が回転可能に取り付けられていて、その一部を上記した円弧状の孔１ｅに嵌合させている。従って、セット部材は、所定の角度だけ回転するようになっている。
【００２１】
更に、これらの三つの軸１ｇ，１ｉ，１ｋの先端には軸方向にねじ孔が形成されており、図１に示すように三つのビス４，４，４によって、シャッタ地板１と略平行に、支持板５とプリント配線板６を取り付けている。そして、シャッタ地板１と支持板５との間には、上記した先羽根用駆動部材，後羽根用駆動部材，セット部材のほか、電磁石を含む開閉駆動機構が配置されているが、それらの一般的な構成は周知であって、且つ本発明とは直接関係がないため、それらの図示と詳しい説明を省略する。尚、図３（ａ）には示していないが、図６（ａ）の断面図に示すように、シャッタ地板１の開口部１ａの周辺部には、周知のように、背面側に傾斜面１ｑが形成されており、図２及び図５には、その形成領域が破線で示されている。
【００２２】
図３（ｂ）〜図３（ｉ）に示された各部材は、シャッタ地板１の背面側に図番の順に取り付けられているが、それらの具体的な取り付け構成を説明する前に、全体構成の概略を説明しておく。シャッタ地板１の背面側には、夫々、所定の間隔を空けて中間板１８（図３（ｇ））と補助地板２６（図３（ｉ））とが取り付けられ、シャッタ地板１と中間板１８との間の空間領域が先羽根群９（図３（ｃ））の羽根室となり、中間板１８と補助地板２６との間の空間領域が後羽根群１９（図３（ｈ））の羽根室となっている。中間板１８と補助地板２６にも、略中央部に開口部１８ａ，２６ａが形成されており、それらの開口部１８ａ，２６ａは、通常は、シャッタ地板１の開口部１ａとの合成によって、シャッタユニットとしての長方形の露光開口を形成するが、本実施例においては、開口部１ａがその露光開口の形状を規制するようになっている。
【００２３】
さて、そこで、シャッタ地板１の軸１ｍ，１ｎには、図３（ｂ）に示す先羽根用押さえ板７が孔７ａ，７ｂを嵌合させて取り付けられ、その後に、軸１ｍにのみ図３（ｃ）に示す間座８が嵌合されている。そして、先羽根用押さえ板７と間座８は、いずれも夫々の軸に対して軸方向に可動となっている。しかし、このような構成は、シャッタ地板１を合成樹脂で製作する場合には、先羽根用押さえ板７と間座８に相当する形状部分を、シャッタ地板１に一体成形にて形成するようにしても差し支えない。
【００２４】
図３（ｄ）に示されている先羽根群９は、基本的には二つのアーム１０，１１と、それらに夫々の一端を枢支された４枚の羽根１２，１３，１４，１５で構成されており、アーム１０，１１の最先端に枢支されている羽根１２がスリット形成羽根である。そして、それらの配置関係は、図３（ｄ）から分かるように、シャッタ地板１側にアーム１０，１１があり、背面側、即ち中間板１８側に向けて羽根１２，１３，１４，１５の順になっている。
【００２５】
また、アーム１０，１１は、孔１０ａ，１１ａをシャッタ地板１の軸１ｇ，１ｈに嵌合させて枢着されており、アーム１０には、長い孔１０ｂが形成されている。そして、その孔１０ｂには上記した図示していない先羽根用駆動部材の作動ピンが嵌合するようになっている。従って、図２において、先羽根用駆動部材が反時計方向へ所定の角度だけ回転すると、アーム１０が反時計方向へ回転され、各羽根１２，１３，１４，１５は相互の重なりを大きくしつつ上方へ作動して重畳状態に達し、その後、先羽根用駆動部材が時計方向へ回転すると、各羽根１２，１３，１４，１５は相互の重なりを少なくしつつ下方へ作動し、図２に示す展開状態に達することになる。
【００２６】
次に、軸１ｍ，１ｎには、図３（ｅ）に示した補助押さえ板１６が、その孔１６ａ，１６ｂを嵌合させることによって取り付けられ、また、軸１ｐには、図３（ｆ）に示したブチルゴム製の輪状の緩衝部材１７が嵌合され、更に、それらの軸１ｍ，１ｎ，１ｐには、図３（ｇ）に示した開口部１８ａを有する中間板１８が、その孔１８ｂ，１８ｃ，１８ｄを嵌合させることによって取り付けられている。そして、中間板１８には、後述する補助地板２６の一部に支えられる張出部１８ｅが形成されており、また、開口部１８ａには、凹部１８ａ1 が形成されている。この凹部１８ａ1 は、周知のように、後羽根群１９のスリット形成用の羽根２２が、露光作動時に開口部１８ａの端面に衝突せず、スムーズに走行できるようにするためのものである。
【００２７】
上記の補助押さえ板１６は、この凹部１８ａ1 を先羽根群９の羽根室側から覆うために設けられているものである。そして、その役目は、凹部１８ａ1 を形成したことによって局部的に撓み易くなった部分を補強するためと、カメラの不使用時に、漏光によって進入した光が、先羽根群７の羽根室側から後羽根群の羽根室側へ少しでも入らないようにするためである。従って、先羽根群９は、全体としてはシャッタ地板１と中間板１８との間の空間領域に配置されているものの、本実施例の場合には、厳密に言えば、羽根１２，１３，１４，１５の先端（図３（ｄ）における右方端）は、間座８を挟持している先羽根用押さえ板７と補助押さえ板１６との間に配置されていることになる。尚、中間板１８に凹部１８ａ1 を形成しない場合には、補助押さえ板１６を特に設ける必要はない。
【００２８】
また、上記したように、本実施例においては、先羽根用押さえ板７と補助押さえ板１６との間において、軸１ｍには間座８が取り付けられているが、軸１ｎには特別な間座を取り付けていない。言い換えれば、開口部１８ａの上方部においては、先羽根用押さえ板８と補助押さえ板１６との間隔が間座８によって規制され、所定の寸法が確保されているが、開口部１８ａの下方部にある軸１ｎの部分には、上記の寸法よりも狭い間隔になり得るようになっている。これは、先羽根群９の各羽根は上方に重畳されるので、上方においては光軸方向に羽根４枚分以上の間隔を必要とするが、展開状態においては各羽根の重なりは略２枚分になってしまうから、同じ寸法の間隔を空けておくと、特に各羽根の先端が不安定になってしまうからである。
【００２９】
更に、軸１ｐに嵌合されている緩衝部材１７は、露光作動時に先羽根群９の各羽根が上方へ重畳されていったとき、その作動の最終段階において、アーム１０が当接するようになっている。それによって、緩衝部材１７は、アーム１０から受ける衝撃を吸収し、先羽根群９のバウンドを防止する役目をしている。また、緩衝部材１７は、上記した間座８と同様にして、開口部１８ａの上方位置において、シャッタ地板１と中間板１８との間隔を確保する役目もしている。
【００３０】
中間板１８の背面側には図３（ｈ）に示す後羽根群１９が配置されている。この後羽根群１９は、上記した先羽根群９と類似の構成をしていて、二つのアーム２０，２１と、図５から明瞭に分かるように、それらのアーム２０，２１に夫々の一端部を枢支した４枚の羽根２２，２３，２４，２５で構成しており、それらのうちアーム２０，２１の最先端に枢支された羽根２２がスリット形成羽根である。そして、それらの配置関係は、補助地板２６側にアーム２０，２１があり、中間板１８側に向けて羽根２２，２３，２４，２５の順になっている。
【００３１】
また、アーム２０，２１は、孔２０ａ，２１ａをシャッタ地板１の軸１ｉ，１ｊに嵌合させて枢着されており、また、アーム２０には、長い孔２０ｂが形成されている。そして、孔２０ｂには図示していない後羽根用駆動部材の作動ピンが嵌合するようになっていて、図２において後羽根用駆動部材が所定の角度だけ反時計方向へ回転すると、アーム２０も反時計方向へ回転され、各羽根２２，２３，２４，２５が相互の重なりを小さくしつつ上方へ作動して展開状態に達するようになっている。そして、その後に、後羽根用駆動部材が時計方向へ回転すると、各羽根２２，２３，２４，２５は重なりを大きくしつつ下方へ作動し、図２に示す重畳状態に復帰するようになっている。
【００３２】
シャッタ地板１の一番背面側には、図３（ｉ）に示した合成樹脂製の補助地板２６が取り付けられているが、その補助地板２６の各部の形状については、図４に示した拡大平面図の方に符号を付けて説明する。先ず、補助地板２６の取り付け方は、周知の取り付け方に準じて行われている。そのため、その取り付けに必要な軸１ｍ，１ｎ，１ｐの具体的な形状を図示していないが、軸１ｍ，１ｎの先端近くには円周面に環状の溝が形成されていて、軸１ｐの先端面には軸方向に向けてタッピンねじをねじ込む穴が形成されている。取り付けに際しては、補助地板２６に形成されている爪部２６ｕを長孔１ｆに挿入した後、瓢箪型の孔２６ｂ，２６ｃの大きい孔の部分を軸１ｍ，１ｎの先端部に挿入し、次に、補助地板２６を左方へ移動させることによって、孔２６ｂ，２６ｃの小さい孔の部分の縁を上記した環状溝に嵌合させるようにする。そして、その後、タッピンねじを孔２６ｄに貫通させ、軸１ｐに形成された上記の穴にねじ込んで固定されている。
【００３３】
開口部２６ａの周辺部には、周知のように、羽根室側に傾斜面２６ｅが形成されている。これは、開口部２６ａの端縁を、補助地板２６の板面に対して垂直な端面に形成すると、シャッタユニット内に入射した光が、その端面に当たったとき、フィルム側に反射されてしまうが、本実施例のように傾斜面２６ｅを形成すると、その端面の面積を小さくすることが可能になるからである。図４において、開口部２６ａの左側の側方位置には、二つの筒部２６ｆ，２６ｇと、二つの受け部２６ｈ，２６ｉと、二つの円弧状の溝２６ｊ，２６ｋが形成されている。
【００３４】
このうち二つの筒部２６ｆ，２６ｇには、シャッタ地板１の軸１ｈ，１ｊの先端を嵌合させており、環状の先端面によって、補助地板２６の板面に対するアーム１１，２１の高さ規制（光軸方向の位置規制）を行っている。また、二つの受け部２６ｈ，２６ｉは、シャッタ地板１の軸１ｇ，１ｉの先端面に向けて突出しており、その頂面で、アーム１０，２０の高さ規制を行っている。更に、二つの円弧状の溝２６ｊ，２６ｋは貫通しておらず且つシャッタ地板１に形成された円弧状の孔１ｃ，１ｄに重なるように形成されていて、そこに上記した各駆動部材の作動ピンの先端が挿入されている。そのため、アーム１０，２０の孔１０ｂ，２０ｂと各作動ピンとの嵌合が外れないようになっている。また、従来は、この溝２６ｊ，２６ｋが貫通孔であったため、背面側との光の経路になっていたが、本実施例によれば、その経路は完全に遮断されていることになる。
【００３５】
開口部２６ａの右側の側方位置には、補助地板２６の表面側の基準面における板厚よりも厚くした肉厚部２６ｍが形成されていて、その上下位置に上記した瓢箪型の孔２６ｂ，２６ｃが形成されている。また、孔２６ｃの近傍には、更に部分的に厚くした間座部２６ｎが形成されている。このうち肉厚部２６ｍは、先羽根群９の羽根室内における先羽用押さえ板７と同じ役目をしている。即ち、肉厚部２６ｍの形成されている領域にはアーム２０，２１が配置されていないため、少なくともアームの厚さ分のスペースを埋め、展開状態における各羽根２２，２３，２４，２５の密着性を良くすると共に、後羽根群１９の作動の安定化を図るようにしている。また、間座部２６ｎは、上記の間座８と同じ役目をしており、各羽根２２，２３，２４，２５が重畳したときにおける光軸方向のスペースを確保している。従って、これらの肉厚部２６ｍと間座部２６ｎは、別部品として製作し、軸１ｍ，１ｎに別々に取り付けるようにしても差し支えない。
【００３６】
また、肉厚部２６ｍの上下位置の表面からは、補助地板２６の基準面に向けて二つの傾斜面２６ｐ，２６ｑが形成されており、また、それらの間の位置からは、開口部２６ａに向けて傾斜面２６ｒが形成されている。そして、傾斜面２６ｐの略中央部には、左右方向から傾斜面で隆起させた受け部２６ｓが形成されていて、略正方形をした頂面によって中間板１８を受けるようになっている。
【００３７】
補助地板２６の周辺部には、シャッタ地板１との間を塞ぐために、シャッタ地板１側に向けて高さの異なる複数の遮光壁が形成されている。先ず、図４の左上から左下にかけて形成されている遮光壁２６ｔは、頂面をシャッタ地板１の背面に接触させるようにし、内面には三つの傾斜面２６ｔ1 ，２６ｔ2 ，２６ｔ3 が形成されている。これらの傾斜面の形状は、図６（ａ）に示した断面図からも分かるように、光軸中心線からの距離が、補助地板２６からシャッタ地板１に向けて徐々に大きくなるように形成されている。また、遮光壁２６ｔには、図４の左下方位置に欠落部２６ｔ4 があり、そこで上記した中間板１８の張出部１８ｅを受けるようになっている。
【００３８】
また、補助地板２６の上方の周辺部には遮光壁２６ｖが、右方の周辺部には遮光壁２６ｗが、下方の周辺部には遮光壁２６ｘが夫々形成されていて、いずれも内面は傾斜面２６ｖ1 ，２６ｗ1 ，２６ｘ1 として形成され、頂面をシャッタ地板１の背面に接触させるようにしている。そして、傾斜面２６ｖ1 ，２６ｗ1 ，２６ｘ1 は、いずれも光軸中心線からの距離が、補助地板２６からシャッタ地板１に向けて徐々に大きくなるように形成されている。
【００３９】
更に、上下位置にある遮光壁２６ｖ，２６ｘの外側には壁２６ｙ，２６ｚが形成されている。この壁２６ｙ，２６ｚは、シャッタ地板１側に向けての高さが遮光壁２６ｔ，２６ｖ，２６ｗ，２６ｘの高さよりも高く、内面が補助地板２６の板面に対して垂直に形成されている。そのため、図１からも分かるように、シャッタ地板１の上端面と下端面が壁２６ｙと壁２６ｚの内面に対向して配置されるようになる。また、壁２６ｙの内面のうち、先羽根群９の羽根室に臨んでいる部分には、図２に示すように、直方体をしたブチルゴム製の緩衝部材２７，２８が接着されており、図５に示すように、先羽根群９の露光作動終了時に羽根１２，１３，１４，１５が当接するようになっている。
【００４０】
以上の構成説明からも分かるように、この種のシャッタの基本構成は、カメラに組み付けられたときレンズ側に配置されるシャッタ地板１と、フィルム側に配置される補助地板２６との間を、中間板１８で仕切って二つの羽根室を形成し、夫々の羽根室に先羽根群９と後羽根群１９を配置すると共に、開閉駆動機構を、露光開口の側方位置において、シャッタ地板１の表面側（カメラのレンズ側）に取り付けた構成となっている。このような構成においては、開閉駆動機構は、先羽根群９と後羽根群１９の両方を作動させる必要があることから、補助地板２６側の羽根室に配置された後羽根群１９とも連動関係が得られるようにしなければならない。そのため、二つの地板１，２６は平面形状の大きさを略同じにすることが可能であるが、中間板１８は、それらと同じような大きさにすることが不可能である。
【００４１】
図３の各図は、全て等倍率で描かれているが、図３（ａ），図３（ｇ），図３（ｉ）の比較からも分かるように、シャッタ地板１と補助地板２６とは、開口部１ａ，２６ａの左側の大きさが略同じであるが、中間板１８は半分位の大きさになっている。これは、後羽根用駆動部材の作動ピンをアーム２０の孔２０ｂに嵌合させ得るようにし且つ該作動ピンの作動に影響を及ぼさないようにするためである。更に、先羽根用駆動部材の作動ピンとアーム１０の孔１０ｂとの嵌合関係を確実に維持できるようにするため、該作動ピンの先端は中間板１８の表面よりも背面側に伸長させているが、その作動ピンの作動に影響を及ぼさないようにするためである。
【００４２】
このような地板１，２６と中間板１８との構成関係は、各駆動部材の駆動源が、ばねであろうと、モータであろうと同じであり、また、先羽根群９が補助地板２６側の羽根室に配置され、後羽根群１９がシャッタ地板１側の羽根室に配置されていても同じである。また、シャッタによっては、各駆動部材を取り付ける軸（本実施例においては軸１ｇ，１ｉ）を補助地板２６に立設することも考えられているが、その場合であっても、それらの軸がシャッタ地板１の表面側に突き出ていて、そこに各駆動部材が取り付けられる構成をしている限り同じである。従って、露光開口の側方位置には、どうしても中間板１８で仕切ることのできない共通の空間領域が形成されてしまうことになる。
【００４３】
次に、本実施例の作動を説明する。図２はシャッタのセット状態を示しており、アーム１０，２０は、図示していない夫々の駆動部材の作動ピンによって時計方向へ回転された状態にある。そのため、先羽根群９の羽根１２，１３，１４，１５は展開状態となって露光開口即ち開口部１ａを覆っており、後羽根群１９の羽根２２，２３，２４，２５は重畳状態となって開口部１ａから退避し、開口部１ａの下方位置に格納されている。このようなセット状態において、シャッタがレリーズされると、夫々軸１ｇ，１ｉに回転可能に取り付けられている先羽根用駆動部材と後羽根用駆動部材が、所定のタイミングで順次反時計方向へ回転することになる。
【００４４】
そこで、先ず、先羽根用駆動部材によって作動される先羽根群９の露光作動について説明する。先羽根用駆動部材が軸１ｇで反時計方向へ回転すると、孔１０ｂに嵌合している作動ピンによって、アーム１０が反時計方向へ急速に回転される。それによって先羽根群９の羽根１２，１３，１４，１５は上方へ作動され、開口部１ａを開放していく。この上方への作動において、羽根１２，１３，１４，１５は隣接する羽根との相互の重なり量を大きくしてゆくが、開口部１ａを開放したとき、即ちスリット形成羽根である羽根１２の下端縁（スリット形成縁）が開口部１ａの上端縁を過ぎた頃には、各羽根の重なり量は殆ど最大になっている。そして、殆ど同時に、先羽根用駆動部材の作動ピンが円弧状の孔１ｃの上端部に取り付けられた緩衝部材２に当接し、また、アーム１０が軸１ｐに取り付けられた緩衝部材１７に当接し、更に、各羽根１２，１３，１４，１５の上端縁が補助地板２６に取り付けられた緩衝部材２７，２８に当接し、先羽根群９の露光作動が終了する。
【００４５】
次に、後羽根用駆動部材によって作動される後羽根群１９の露光作動について説明する。図示していない後羽根用駆動部材が軸１ｉで反時計方向へ回転すると、孔２０ｂに嵌合している作動ピンによって、アーム２０が反時計方向へ急速に回転される。それによって後羽根群１９の羽根２２，２３，２４，２５は上方へ作動され、開口部１ａを覆っていく。その過程で、各羽根は隣接する羽根との重なり量を少なくしてゆくが、スリット形成羽根である羽根２２の上端縁（スリット形成縁）が開口部１ａの上端縁を過ぎ、開口部１ａを完全に覆った直後には、後羽根用駆動部材の作動ピンが、円弧状の孔１ｄの上端部に取り付けられた緩衝部材３に当接し、後羽根群１９の露光作動が終了する。その状態が図５に示されている。
【００４６】
露光作動が終了すると、フィルムの巻き上げに連動してシャッタのセット作動が行われる。本実施例の場合には、図５に示すように、露光作動終了時には、スリット形成羽根である二つの羽根１２，２２の重なりが十分に得られているため、図示していない先羽根用駆動部材と後羽根用駆動部材とは、時計方向へ同時に回転され、作動ピンによってアーム１０，２０が時計方向へ回転される。そのため、先羽根群９の羽根１２，１３，１４，１５は、相互の重なりを少なくしつつ下方へ作動し、後羽根群１９の羽根２２，２３，２４，２５は、相互の重なりを大きくしつつ下方へ作動する。そして、先羽根群９の羽根１２，１３，１４，１５が展開状態となって開口部１ａを完全に覆い、後羽根群１９の羽根２２，２３，２４，２５が重畳状態となって開口部１ａの下方位置に格納されることによって、図２に示すセット状態となる。
【００４７】
このようにして撮影が終了すると、シャッタユニットとしては、撮影を続けて行う場合は別として、この状態のままで長時間放置されることになるため、その間に漏光によってフィルムを感光させてしまう可能性がある。また、撮影を続けて行うか否かに関係なく、レンズ交換を行うような場合には、レンズを外したときに、漏光によってフィルムを感光させてしまう可能性がある。本実施例は、通常の場合であるならば、そのような心配をする必要がないように構成されているので、そのことを、以下に詳しく説明する。
【００４８】
先ず、本実施例によれば、補助地板２６の周辺部に、遮光壁２６ｔ，２６ｖ，２６ｗ，２６ｘと壁２６ｙ，２６ｚとが形成されている。そのため、シャッタ地板１の周辺部と、補助地板２６の周辺部との間から入射してくる光についての心配はない。例えば、補助地板２６の遮光壁２６ｔには、中間板１８の張出部１８ｅを受けるための欠落部２６ｔ4 が形成されているが、この程度の隙間があっても、カメラの構成上、周辺部における光はそれほど強くないから、そこから光が入射しても殆ど無視することができる。しかし、もし、無視することができない場合には、欠落部２６ｔ4 を塞ぎ、受け部２６ｓに類する受け部を、後羽根群１９の作動に影響しない位置に形成すればよい。
【００４９】
また、カメラの設計次第では、カメラの本体側に、可成りの漏光対策が施されている場合がある。従って、そのような対策次第では、遮光壁２６ｔ，２６ｖ，２６ｗ，２６ｘと壁２６ｙ，２６ｚを、本実施例のように全て設ける必要もなく、また、各遮光壁，各壁の一部分を欠落させてもよい場合がある。本発明は、それらの全ての場合を包含するものである。
【００５０】
更に、本実施例は、レンズ方向から開口部１ａに達し、シャッタ地板１と先羽根群９との間から進入して、羽根室内を周辺部に向かって進行する光に対して有効な構成をしている。即ち、図２において、開口部１ａから、先羽根群９の羽根室を上方へ向かった光の殆どは、遮光壁２６ｖの傾斜面２６ｖ1 によってシャッタ地板１側に反射され、後羽根群１９の羽根室には進入しにくくなっている。同様にして、開口部１ａから、先羽根群９の羽根室を右方向へ向かった光は遮光壁２６ｗの傾斜面２６ｗ1 により、また、下方へ向かった光は遮光壁２６ｘの傾斜面２６ｘ1 により、更に、左方向へ向かった光は遮光壁２６ｔの傾斜面２６ｔ1 ，２６ｔ2 ，２６ｔ3 によって、夫々シャッタ地板１側に反射され、後羽根群１９の羽根室には進入しにくくなっている。
【００５１】
このようにして各周辺部に向かう光のうち、開口部１ａの左方向へ向かった光は、中間板１８の左端が、上記した理由によって遮光壁２６ｔの近傍位置まで達していないので、遮光壁２６ｔによって反射され、後羽根群１９の羽根室に一番進入し易くなっている。そこで、開口部１ａの左方向へ向かった光の場合を例にして、図６を用い、如何にして後羽根群１９の羽根室内に進入しにくくなっているかを説明する。尚、図６（ａ）の断面図は、図２において、軸１ｉの直ぐ上の位置で横方向に切断した部分断面図であって、説明に必要としない部材，部位を省略して示したものである。また、図６（ｂ）は、本実施例と比較するために、図６（ａ）と同じようにして示した従来例の断面図であり、便宜上、本実施例に対応する部材，部位には、本実施例の場合と同じ符号にダッシュ（′）を付けて示してある。そして、符号Ｆ，Ｆ′はフィルムである。
【００５２】
図６（ａ）と図６（ｂ）を比較して分かるように、両者の違いは遮光壁２６ｔ，２６ｔ′の内面の形状にある。本実施例の内面の形状は、フィルムＦ側に配置される補助地板２６からレンズ側に配置されるシャッタ地板１に向けて光軸中心線からの距離が大きくなるような傾斜面２６ｔ2 として形成されている。それに対して、従来例に内面の形状は、光軸中心線までの距離が、補助地板２６からシャッタ地板１まで一定となっている。即ち、遮光壁２６ｔ′の内面形状は、補助地板２６の板面に対して垂直面２６ｔ2 ′となるように形成されている。
【００５３】
そこで、先ず、従来例の場合について説明する。既に説明したように、セット状態においては露光開口を先羽根群９が覆っている。図示を省略されているが、先羽根群９が、図６（ｂ）においては、シャッタ地板１′と中間板１８′の間に配置され、開口部１ａ′を通過した光が、直接、開口部１８ａ′，２６ａ′に進入するのを阻止している。このとき、図示していない後羽根群１９は重畳状態にあるので、開口部１８ａ′と開口部２６ａ′との間には存在しない。従って、ここで問題とするのは、開口部１ａ′を通過した後、シャッタ地板１′と図示していない先羽根群９との間に進入した光についてである。
【００５４】
図６（ｂ）においては、このようにして進入してくる代表的な光の経路を実線で示し、矢印を付けてある。勿論、このほかにも、シャッタ地板１′と図示していない先羽根群９との間で反射を繰り返しながら進行する光もあるが、そのような光であっても、反射によって減衰しながら、全体としてはこのような経路で進行することになる。その後、光は垂直面２６ｔ2 ′で反射され、右下方向へ転進する。上記したように開口部２６ａ′は図示していない後羽根群１９によって覆われていない。そのため、右下方向へ進行した光は、中間板１８′と補助地板２６′の間に進入し、開口部２６ａ′を通過してフィルムＦ′に達する。
【００５５】
上記したように、実線矢印のように直線的に進行せず、反射を繰り返しながら進行する光もあるが、そのような光であっても、中間板１８′によって仕切られていない共通の空間内においては反射回数が全体として少ないため、中間板１８′と補助地板２６′の間に進入する光は効果的に減衰されていない。そのため、上記した光との和の光がフィルムＦ′を感光させる要因になる。既に説明してあるように、フィルムを感光させる要因となる光は、このような光だけとは限らない。例えば、先羽根群９の各羽根の間から進入する光についても実際には完全には遮光することができず、微小な光が進入してくる。そして、フィルムＦ′の感光は、それらの全ての光の光量によって行われるからである。
【００５６】
このような従来例に比較して、本実施例の場合には、進入してきた光を効果的に減衰させることができる。図６（ａ）に示すように、本実施例の場合にも、光が、開口部１ａから、中間板１８によって仕切られていない共通の空間内に進入するまでは同じである。しかし、それらの光は、遮光壁２６ｔの傾斜面２６ｔ2 によってシャッタ地板１側へ反射される。そのため、遮光壁２６ｔの内面に達した光は、共通の空間内において意図的に反射を繰り返させられることになる。従って、遮光壁２６ｔの内面からフィルムＦ面に対し直線的に反射される光は皆無となる。また、当然のことながら、何回か反射をしてから遮光壁２６ｔの内面に達した光も、以後の反射回数が従来よりは多くなる。その結果、中間板１８と補助地板２６の間に進入する光は大きく減衰されることになる。
【００５７】
ところで、本実施例においては、傾斜面２６ｔ2 のみならず、全ての傾斜面は、補助地板２６からシャッタ地板１に向けて光軸中心線からの距離が大きくなるように形成されている。しかし、遮光壁２６ｔに形成された傾斜面２６ｔ1 ，２６ｔ2 ，２６ｔ3 については、これを逆傾斜にして、補助地板２６からシャッタ地板１に向けて光軸中心線からの距離が小さくなるように形成しても、略同等の効果が得られる。しかしながら、そのように形成すると、補助地板２６が金属製であっても、本実施例のように合成樹脂製であっても、製作が面倒でコストアップになってしまう。そのほかの傾斜面につては、補助地板２６側の羽根室に光を導くことになるので、逆傾斜にするのは問題である。更に、これまで生産された数種類のシャッタについて、図６（ａ）に示した傾斜角θを検討してみたところ、おおよそ３０〜６０度であることが好ましいことが判明した。
【００５８】
尚、本実施例は、露光作動が終了すると、フィルムの巻き上げに連動して、直ちにシャッタがセットされる場合で説明した。しかし、稀なケースでがあるが、カメラの仕様によっては、直ちにセットされず、撮影に先立ってセットされる場合がある。本実施例のシャッタは、そのようなカメラに装着された場合でも、絶対的な遮光効果は劣ることになるものの、従来例のシャッタを同じ仕様のカメラに装着した場合よりは、遮光効果が優れたものとなる。従って、本実施例における先羽根群９が、中間板１８と補助地板２６の間の羽根室に配置されていて、露光作動が終了すると、フィルムの巻き上げに連動して、直ちにセットされてしまうように使用されても、それなりの効果は得られるものである。
【００５９】
次に、図７〜図９を用いて、本発明の第２実施例を説明する。上記した第１実施例と本実施例とは、上記した補助地板２６の形状が異なるだけである。また、シャッタとしての作動は、補助地板２６の形状が異なっても同じである。そのため、補助地板２６以外の構成と、作動については、第１実施例における説明が、本実施例に対しても、そのまま適用される。また、主に図６を用いて説明した遮光壁の効果と、それに関連して述べたことについても、本実施例に適用できるので説明を省略する。
【００６０】
そこで、本実施例における補助地板の形状を図７を用いて説明するが、本実施例においても、第１実施例における補助地板２６との差異を分かり安くするために、補助地板に符号２６を用いており且つ第１実施例における補助地板２６と同じ部位には同じ符号を付けてある。そのため、原則的には、異なる部位についてだけ、形状と作用効果を説明することにする。
【００６１】
尚、本実施例における補助地板２６も合成樹脂製であるが、図７における表面側の形状が、第１実施例の補助地板２６よりも可成り複雑になっている。そのため、基準面にはドットを付けておいた。従って、円弧状の溝２６ｊ，２６ｋの底面が、この基準面の奥にあり、傾斜面２６ｅが基準面から徐々に背面側に傾斜し、傾斜面２６ｒの一部も基準面の背面側に形成されていることになるが、その他の面は基準面よりも高い位置、即ち、図７の表面側に高く（以下、この方向の基準面からの距離を単に高さと称する）形成されていることになる。
【００６２】
先ず、本実施例においては、開口部２６ａの上方位置にある遮光壁２６ｖに、第１実施例における傾斜面２６ｖ1 が形成されていない。その代わり、受け部２６Ａが形成されている。この受け部２６Ａの高さは、受け部２６ｓの高さと同じであって、受け部２６ｓと共に中間板１８を受けるようになっている。この受け部２６Ａの形成されている板面には斜線を付けてあるが、他の同じ高さの面には同様にして斜線を付けてある。そして、第１実施例で説明した受け部２６ｈ，２６ｉの高さは、この高さと基準面との中間の高さに形成されている。
【００６３】
上記の受け部２６Ａからは、左側にある基準面に向けて傾斜面２６Ａ1 が形成されている。また、その他の三方にも受け部２６Ａを囲むようにして傾斜面２６Ａ2 が形成されている。そして、組立状態においては、中間板１８が、左側に向けて形成されている傾斜面２６Ａ1 に接する方向へ僅かに撓まされているが、その理由は、本発明と直接関係がないので説明を省略する。
【００６４】
他方、傾斜面２６Ａ2 は、主に二つの方向からの光を意図的に反射し、フィルム面に影響を与えにくくしている。即ち、シャッタ地板１の開口部１ａに進入し、遮光壁２６ｖに反射されて中間板１８の端面を迂回し、後羽根群１９の羽根室を開口部２６ａに向けて進行してきた光の一部は、傾斜面２６Ａ2 によって中間板１８方向へ反射されることになる。そのため、進行方向を変えられ、反射を繰り返した後、例えそれらの一部が開口部２６ａからフィルム面に達するようなことがあったとしても、そのときには大きく減衰されていて、問題がない程度になっている。
【００６５】
もう一つは、後羽根群１９の羽根室内であって開口部２６ａの近辺に進入した光に対して効果を発揮する。既に述べたように、光はあらゆる所から進入してくる。また、それらを完全に遮光することは不可能である。従って、反射を繰り返すことによって減衰させられているとはいえ、どうしても、開口部２６ａの近辺に進入してくる光がある。そして、それらの光は、進行方向がまちまちである。従って、それらの光の一部を、少しでもフィルム面に進行させないようにするために、従来より傾斜面２６ｅを形成し、開口部２６ａの端面の面積を小さくしてフィルム面への反射を少なくし、且つ傾斜面２６ｅによって開口部２６ａから少しでも離れた方向へ反射させるようにしている。本実施例においても、傾斜面２６Ａ2 は、それと同じような役目をするようになっていて、図７において、開口部２６ａの方から上方へ進行してきた光を、開口部２６ａに進入させるようには反射せず、中間板１８へ向けて反射させるようになっている。
【００６６】
開口部２６ａの左側の側方位置には、受け部２６Ｂと四つの肉厚部２６Ｃ，２６Ｄ，２６Ｅ，２６Ｆが形成されている。このうち、受け部２６Ｂの高さは、受け部２６Ａの高さよりも僅かに低く、溝２６ｊに沿うようにして基準面まで伸びている傾斜面２６Ｂ1 が形成されている。また、受け部２６Ｂと傾斜面２６Ｂ1 の左側は垂直な面になっていて、右側には開口部２６ａに向けて傾斜面２６Ｂ2 が形成されている。この受け部２６Ｂも中間板１８を受けるようになっていて、傾斜面２６Ｂ1 は傾斜面２６Ａ1 と同じ目的で形成されている。また、傾斜面２６Ｂ2 は、上記したように開口部２６ａの方から進行してきた光を、開口部２６ａに進入させるようには反射せず、中間板１８へ向けて反射させるようにするためのものである。
【００６７】
四つの肉厚部２６Ｃ，２６Ｄ，２６Ｅ，２６Ｆの高さは同じであって、斜線を付けた面よりは高く、受け部２６Ｂの高さよりは低く形成されている。分かりやすくするために、それらの面と同じ高さの面には複数の×印を付けてある。そして、これらの肉厚部２６Ｃ，２６Ｄ，２６Ｅ，２６Ｆの左側は垂直な面になっていて、右側には開口部２６ａに向けて傾斜面２６Ｃ1 ，２６Ｄ1 ，２６Ｅ1 ，２６Ｆ1 が形成されている。そして、それらの傾斜面２６Ｃ1 ，２６Ｄ1 ，２６Ｅ1 ，２６Ｆ1 は、上記したように開口部２６ａの方から進行してきた光を、開口部２６ａに進入させるようには反射せず、中間板１８へ向けて反射させるようにするためのものである。
【００６８】
このようにして、形成された傾斜面２６Ａ2 ，２６Ｂ2 ，２６Ｃ1 ，２６Ｄ1 ，２６Ｅ1 ，２６Ｆ1 の傾斜角も、傾斜面２６ｔ2 などと同じように、光軸中心線に対して略３０〜６０度であることが好ましい。また、本実施例においては、開口部２６ａから左側を視た場合、上記した受け部２６Ｂと傾斜面２６Ｂ1 、及び四つの肉厚部２６Ｃ，２６Ｄ，２６Ｅ，２６Ｆが、それらの少なくとも一部を重ね合わせることによって、あたかも連続しているかのようにして配置されている。そして、遮光壁２６ｔに対向する面は、全て垂直面となっている。従って、これらの垂直面は、図６（ａ）で説明したように、二つの地板１，２６間で反射を繰り返し、中間板１８と補助地板２６の間に進入しようとする殆どの光を遮断するようになっている。
【００６９】
また、複数の肉厚部２６Ｃ，２６Ｄ，２６Ｅ，２６Ｆをこのように配置したことによって、後羽根群１９の姿勢が良好に保たれ且つ作動が支障なく行われるようになっている。即ち、図８は、図７に示した補助地板２６に後羽根群１９を重ねて描いた図であって、シャッタのセット状態を示している。また、図９は露光作動終了直後の状態を示している。これらの図から分かるように、後羽根群１９のアーム２０，２１は、いかなる状態であっても、即ち作動中であったとしても、必ず肉厚部２６Ｃ，２６Ｄ，２６Ｅ，２６Ｆのいずれかに接し得るようになっていて、アーム２０，２１が補助地板２６側に撓みにくくなっている。そのため、図９に示す状態において、羽根２２，２３，２４，２５の重合部の密着性が保たれると共に、作動が安定して行え且つ露光作動終了時の衝撃による後羽根群１９全体の複雑な動きを抑制することが可能である。
【００７０】
尚、本実施例においては、筒部２６ｆ，２６ｇを囲むようにして適宜な高さの壁２６Ｇが形成されているが、これは筒部２６ｆ，２６ｇの中空孔が補助地板２６を貫通しているので、その中空孔から入ってきた光がアーム１１，２１に反射して、開口部２６ａ側に進むのを少しでも阻止すべく、安全のために設けたものである。従って、このような壁２６Ｇは必ずしも必要ではない。特に、中空孔を盲穴にした場合には全く不要である。また、本実施例においては傾斜面２６Ｃ1 ，２６Ｄ1 ，２６Ｆ1 の一部が、夫々、肉厚部２６Ｃ，２６Ｄの下方部及び肉厚部２６Ｆの上方部を回り込むようにして左側にも形成されているが、この部分は光を反射させるのが主目的ではなく、アーム１１，２１の端面が、作動中に衝突せず円滑に作動できるようにするためである。
【００７１】
【発明の効果】
上記のように、本発明によれば、二つの地板の間を中間板で仕切って二つの羽根室を構成しているカメラ用のフォーカルプレンシャッタにおいて、カメラに装着されたときにフィルム側に配置される地板に、二つの地板の周辺部の少なくとも一部を塞ぐようにして遮光壁を設け、その遮光壁の内面形状を、フィルム側に配置される地板からレンズ側に配置される地板に向けて光軸中心線からの距離が大きくなるような傾斜面として形成したから、二つの地板の周辺部から入射してくる光を遮断することが可能であり、しかも、主に、レンズ側に配置される地板の開口部から、該地板と、該地板側の羽根室に配置された羽根群との間に入射してきた光を、上記遮光壁の内面でレンズ側に配置される地板に向けて反射させることにより、中間板とフィルム側に配置される地板との間に進入する光を抑制することが可能になる。
【図面の簡単な説明】
【図１】本発明の第１実施例のセット状態を示した平面図である。
【図２】図１から開閉駆動機構を取り外し、透視的に示した平面図である。
【図３】図２を構成している主な部品の平面図であって、図２において一番表面側に位置する第１シャッタ地板から背面側に向けて配置されている順に、図３（ａ）〜図３（ｉ）として示したものである。
【図４】図３（ｉ）に示された第２シャッタ地板の拡大平面図である。
【図５】図２と同じようにして透視的に示した平面図であって、露光作動の終了直後の状態を示している。
【図６】第１実施例の作用効果を説明するための要部断面図であって、図６（ａ）は第１実施例の場合を、図６（ｂ）は従来例の場合を示している。
【図７】  本発明の第２実施例に用いられる補助地板の平面図である。
【図８】  図７に示した補助地板に、セット状態にある後羽根群を重ねて示した透視平面図である。
【図９】  図７に示した補助地板に、露光作動の終了直後の状態にある後羽根群を重ねて示した透視平面図である。
【符号の説明】
１                            シャッタ地板
１ａ，１８ａ，２６ａ          開口部
１ｂ，１ｃ，１ｄ，１ｅ，１ｆ，７ａ，７ｂ，１０ａ，１０ｂ，１１ａ，１８ｂ，１８ｃ，１８ｄ，２０ａ，２０ｂ，２１ａ，２６ｂ，２６ｃ，２６ｄ  孔
１ｇ，１ｈ，１ｉ，１ｊ，１ｋ，１ｍ，１ｎ，１ｐ  軸
１ｑ，２６ｅ，２６ｐ，２６ｑ，２６ｒ，２６ｔ1 ，２６ｔ2 ，２６ｔ3 ，２６ｖ1 ，２６ｗ1 ，２６ｘ1 ，２６Ａ1 ，２６Ａ2 ，２６Ｂ          1 ，２６Ｂ2 ，２６Ｃ1 ，２６Ｄ1 ，２６Ｅ1 ，２６Ｆ1   傾斜面
２，３，１７，２７，２８      緩衝部材
４                            ビス
５                            支持板
６                            プリント配線板
７                            先羽根用押さえ板
８                            間座
９                            先羽根群
１０，１１，２０，２１        アーム
１２，１３，１４，１５，２２，２３，２４，２５  羽根
１６                          補助押さえ板
１８                          中間板
１８ａ1                       凹部
１８ｅ                        張出部
１９                          後羽根群
２６                          補助地板
２６ｆ，２６ｇ                筒部
２６ｈ，２６ｉ，２６ｓ，２６Ａ，２６Ｂ  受け部
２６ｊ，２６ｋ                溝
２６ｍ，２６Ｃ，２６Ｄ，２６Ｅ，２６Ｆ  肉厚部
２６ｎ                        間座部
２６ｔ，２６ｖ，２６ｗ，２６ｘ  遮光壁
２６ｔ4                       欠落部
２６ｕ                        爪部
２６ｙ，２６ｚ，２６Ｇ        壁
【図１】
0003990785.tif 000002
【図２】
0003990785.tif 000003
【図３】
0003990785.tif 000004
【図４】
0003990785.tif 000005
【図５】
0003990785.tif 000006
【図６】
0003990785.tif 000007
【図７】
0003990785.tif 000008
【図８】
0003990785.tif 000009
【図９】
0003990785.tif 000010